(57)【要約】【課題】  物品棚の支柱に落下防止ベルトを容易に脱着し固定することができるベルト固定具、および物品の出し入れに伴う一時解除や再度の掛け渡しを自在にすることができる落下防止具を提供する。【解決手段】  落下防止具１０は、棚板の隅を支える支柱の間が開放された物品棚に取り付けられる落下防止具であって、支柱の間に掛け渡され、棚板上の物品の落下を防止する一対のベルト１１と、ベルト１１のそれぞれ一端を支柱に固定するベルト固定具１と、ベルト１１の他端同士を連結する連結部１２とを備え、ベルト固定具１は、ベルト固定具１本体の端部に設けられ、ベルト１１の一端が接続される接続部２と、ベルト固定具１本体を支柱に吸着させる磁性体４と、接続部２と相対する端部を開口して形成され、支柱に巻回されたベルト１１が掛け止められる掛止溝３とを有する。【選択図】  図２
2013208216.tif 000002
【特許請求の範囲】
【請求項１】
棚板の隅を支える支柱の間が開放された物品棚において、支柱の間に掛け渡されて棚板上の物品の落下を防止する落下防止ベルトを支柱に固定するベルト固定具であって、
ベルト固定具本体の端部に設けられ、前記落下防止ベルトの一端が接続される接続部と、
ベルト固定具本体を支柱に吸着させる磁性体と、
前記接続部と相対する端部を開口して形成され、前記支柱に巻回された落下防止ベルトが掛け止められる掛止溝とを備える
ことを特徴とするベルト固定具。
【請求項２】
前記磁性体は、前記接続部における落下防止ベルトの前記支柱との接触面と略同じ高さに突出している
ことを特徴とする請求項１記載のベルト固定具。
【請求項３】
棚板の隅を支える支柱の間が開放された物品棚に取り付けられる落下防止具であって、
前記支柱の間に掛け渡され、棚板上の物品の落下を防止する一対の落下防止ベルトと、
前記落下防止ベルトのそれぞれ一端を支柱に固定するベルト固定具と、
前記落下防止ベルトの他端同士を連結する連結部とを備え、
前記ベルト固定具は、
ベルト固定具本体の端部に設けられ、前記落下防止ベルトの一端が接続される接続部と、
ベルト固定具本体を支柱に吸着させる磁性体と、
前記接続部と相対する端部を開口して形成され、前記支柱に巻回された落下防止ベルトが掛け止められる掛止溝とを有する
ことを特徴とする落下防止具。
【発明の詳細な説明】
【技術分野】
【０００１】
本発明は、落下防止ベルトを物品棚の支柱に固定するベルト固定具およびこれを用いた落下防止具に関する。
【背景技術】
【０００２】
棚板の隅を鉄製等の支柱で支え、支柱の間が開放された構造の物品棚は、物品の収納が容易である半面、収納された物品が、棚への衝撃や物品同士の接触等により落下しやすい。そこで、物品が棚板から落下しないように支柱の間に落下防止ベルトが掛け渡されている。落下防止ベルトの物品棚への取り付け方については、従来から様々な工夫がなされており、たとえば、特許文献１では、一端に設けた輪状部により支柱に繋止する棚物品落下防止用ベルトが提案されている。また、特許文献２では、支柱の一部に係合する係合突起と、取り付け本体に対してベルトの長手方向に伸縮可能な伸縮手段とを有するＬ字型の取り付け部により支柱に取り付ける落下防止具が提案されている。
【先行技術文献】
【特許文献】
【０００３】
【特許文献１】実開昭６３−１７５０５２号公報
【特許文献２】特開２００６−１５８４８５号公報
【発明の概要】
【発明が解決しようとする課題】
【０００４】
ところで、落下防止ベルトは、物品を出し入れするたびに掛け直す必要があり、また、落下から保護する物品の大きさが変わると、落下防止を確実にするために、掛け渡す高さを変更する必要がある。よって、これらが頻繁に行われる環境では、落下防止ベルトの脱着と高さ調節の容易さが作業効率にも影響を及ぼす。
【０００５】
しかしながら、特許文献１の棚物品落下防止用ベルトは、輪状部が支柱に固定されていないため、バックルを外すとベルトの張力が失われて支柱への取り付け部分が緩み、下方へずれてしまう。その結果、ベルトを掛け直すたびに左右の取り付け位置の高さを調節し、かつ輪状部が下にずれないように張力を加えながらバックルを留めなければならず、掛け直しの操作が煩雑になるという問題がある。また、支柱に取り付けるには、物品棚の組み立て時に輪状部を支柱に通したり、輪状部に他端を通したりする必要があり、ベルトを掛け渡す場所を変更するのが面倒であるという問題もある。
【０００６】
また、特許文献２の落下防止具は、支柱に所定の間隔で設けられた取り付け穴を利用してベルトを固定するものであるため、ベルトの高さが穴の位置に制限されるとともに、脱着は両端の取り付け部で行うため、物品を出し入れするたびに、取り付け部を左右の支柱にセットし直す必要があるという問題がある。
【０００７】
そこで本発明は、上記課題に鑑みなされたものであり、物品棚の支柱に落下防止ベルトを容易に脱着し固定することができるベルト固定具を提供することを目的とする。また、物品の出し入れに伴う一時解除や再度の掛け渡しを自在にすることができる落下防止具を提供することも目的とする。
【課題を解決するための手段】
【０００８】
上記の課題を解決するため、本発明に係るベルト固定具は、棚板の隅を支える支柱の間が開放された物品棚において、支柱の間に掛け渡されて棚板上の物品の落下を防止する落下防止ベルトを支柱に固定するベルト固定具であって、ベルト固定具本体の端部に設けられ、前記落下防止ベルトの一端が接続される接続部と、ベルト固定具本体を支柱に吸着させる磁性体と、前記接続部と相対する端部を開口して形成され、前記支柱に巻回された落下防止ベルトが掛け止められる掛止溝とを備えることを特徴とする。
【０００９】
これによれば、磁性体を支柱の側面に吸着させるとともに、接続部に接続される落下防止ベルトを支柱に巻回させて掛止溝に掛け止めることにより、磁力および摩擦力を利用して落下防止ベルトを支柱に固定する構成としたので、支柱側に特殊な構造がなくとも落下防止ベルトと支柱との脱着および取り付け位置の変更を容易にすることができ、かつ落下防止ベルトの一部が解除されても支柱に対するベルトの取り付け位置が下方にずれることがないベルト固定具を実現することが可能となる。
【００１０】
ここで、前記磁性体は、前記接続部における落下防止ベルトの前記支柱との接触面と略同じ高さに突出しているとすることが望ましい。これによれば、落下防止ベルトが支柱と接触する部分の高低差がなくなり、支柱に密着しやすくなるので、落下防止ベルトの取り付け位置をよりずれにくくすることができる。
【００１１】
また、本発明に係る落下防止具は、棚板の隅を支える支柱の間が開放された物品棚に取り付けられる落下防止具であって、前記支柱の間に掛け渡され、棚板上の物品の落下を防止する一対の落下防止ベルトと、前記落下防止ベルトのそれぞれ一端を支柱に固定するベルト固定具と、前記落下防止ベルトの他端同士を連結する連結部とを備え、前記ベルト固定具は、ベルト固定具本体の端部に設けられ、前記落下防止ベルトの一端が接続される接続部と、ベルト固定具本体を支柱に吸着させる磁性体と、前記接続部と相対する端部を開口して形成され、前記支柱に巻回された落下防止ベルトが掛け止められる掛止溝とを有することを特徴とする。
【００１２】
これによれば、本発明に係るベルト固定具を備えているので、支柱への脱着および取り付け位置の変更を容易に行うことができ、また、落下防止ベルト同士を連結する連結部を備えているので、一時解除や再度の掛け渡しを容易にすることができる落下防止具が実現する。
【発明の効果】
【００１３】
上述のように、本発明に係るベルト固定具によれば、物品棚の支柱に特殊な構造を設けることなく、落下防止ベルトの支柱への脱着および取り付け位置の変更を容易にすることができるベルト固定具を実現することができる。また、本発明に係る落下防止具によれば、支柱への取り付けや一時解除を容易にすることができる落下防止具を実現することができる。
【図面の簡単な説明】
【００１４】
【図１】（ａ）は本発明の実施形態に係るベルト固定具の平面概略図であり、（ｂ）は本発明の実施形態に係るベルト固定具の正面概略図である。
【図２】（ａ）は図１のベルト固定具を用いた落下防止具の平面概略図であり、（ｂ）は図１のベルト固定具を用いた落下防止具の正面概略図である。
【図３】図２の落下防止具におけるベルト固定具と落下防止ベルトとの接続状態を示す概略図である。
【図４】本発明の実施形態に係る落下防止具の使用状態を示す図である。
【図５】図２の落下防止具の支柱への取り付け状態を示す断面概略図である。
【図６】図２の落下防止具の支柱への他の取り付け状態を示す断面概略図である。
【図７】図２の落下防止具のＬ字形支柱への取り付け状態を示す断面概略図である。
【図８】図２の落下防止具のＬ字形支柱への他の取り付け状態を示す断面概略図である。
【図９】図２の落下防止具の支柱への他の取り付け状態を示す断面概略図である。
【図１０】本発明の他の実施形態に係るベルト固定具を示す平面概略図である。
【発明を実施するための形態】
【００１５】
以下、本発明の実施の形態について、図面を参照しながら説明する。
【００１６】
図１は、本発明の実施形態に係るベルト固定具を概略的に示したものであり、（ａ）は平面図、（ｂ）は正面図である。
【００１７】
ベルト固定具１は、落下防止ベルトを物品棚の鉄製等の支柱に固定する矩形板状の部材である。ベルト固定具１の一端には、落下防止ベルトが接続される接続部２が設けられており、接続部２に相対する他端には、接続部２に接続された落下防止ベルトが、支柱を一回り巻回した状態で掛け止められる掛止溝３が形成されている。本実施形態では、接続部２は、矩形の長辺に平行に設けられたスリット孔により形成されている。また、掛止溝３は、接続部２と同様のスリット孔を接続部２と平行に設け、その上部を開口することにより形成されている。
【００１８】
ベルト固定具１の裏面には、ベルト固定具１を支柱に吸着させて固定するための磁性体４が設けられている。磁性体４は、矩形板状に形成されており、マウント金具６と鳩目鋲７により、接続部２と掛止溝３との間に取り付けられている。
【００１９】
磁性体４の磁力は、吸着時の安定性と磁力が収納物品に及ぼす影響を考慮して、磁束密度が０．３から１．５Ｔのものが好ましい。また、磁性体４の素材としては、ネオジム磁石やサマリウムコバルト磁石が好適である。
【００２０】
図２は、ベルト固定具１を用いた落下防止具を概略的に示したものであり、（ａ）は平面図、（ｂ）は正面図である。
【００２１】
落下防止具１０は、物品棚の鉄製等の支柱の間に掛け渡されて、棚板上の物品の落下を防止するもので、主としてベルト固定具１、ベルト１１、および連結部１２により構成されている。
【００２２】
ベルト１１は、左右一対で支柱の間に掛け渡され、収納物品を棚板からはみ出さないように保持して落下を防止するものである。ベルト１１の材質は、収納物品の荷重に耐え得るものであればよく、たとえば、ポリエステル、ポリプロピレン、ナイロン等が好適である。ベルト１１の一端は、ベルト固定具１に接続されており、左右のベルト固定具１は、互いに面対称となるように形成されている。
【００２３】
図３は、ベルト１１が接続された接続部２の状態を示すものである。
【００２４】
ベルト１１は、接続部２のスリット孔に挿入された先端を折り返してベルト１１の胴部に縫い付けることにより、ベルト固定具１に接続されている。ここで、磁性体４は、接続部２におけるベルト１１の支柱との接触面と略同じ高さになるように、ベルト固定具１の表面から突出しており、接続部２に接続されたベルト１１の厚みが吸着時の障害とならないようになっている。すなわち、ベルト固定具１を支柱面Ｓに吸着させた状態で、磁性体４の取り付け部分の厚さｄ１が接続部２に接続されたベルト１１の折り返し部分の厚さｄ２と略一致するように、磁性体４の接触面５の高さが設定されている。
【００２５】
左右のベルト１１の他端は、それぞれカムバックル１３およびフック１４に接続されている。カムバックル１３およびフック１４は、一対で連結部１２を構成しており、カムバックル１３のベルト接続部１５にフック１４の鉤状の先端部１６を係合することにより、これらを連結することができる。カムバックル１３には、ねじりばねが仕込まれた解除レバー１７が設けられており、ベルト接続部１５ａと解除レバー１７の間にベルト１１を挟んで固定することができる。解除レバー１７を押し下げれば、ベルト１１の固定位置を変更できるため、落下防止具１０全体の長さを調節することができる。また、余ったベルト１１の先端を納めるため、保護スリーブ１８が、ベルト１１の一部を覆うように設けられている。
【００２６】
なお、連結部１２は、フック１４を廃してベルト１１の先端をカムバックル１３のベルト接続部１５に直接接続することにより、カムバックル１３のみで構成することもできるが、フック１４を用いる方がベルト１１同士の連結を容易に行うことができるため好ましい。また、これらに代えて、ラチェットバックルやオーバーセンターバックル、フランス環やＤ環などの鋼線バックル等、他種のバックルを使用してもよい。
【００２７】
次に、このように構成された落下防止具１０の使用方法について図面を参照しながら説明する。
【００２８】
図４は、落下防止具１０を物品棚Ａに掛け渡した状態を示す図である。
【００２９】
落下防止具１０を物品棚Ａに掛け渡すには、まず、ベルト固定具１によりベルト１１を物品棚Ａの左右の支柱に取り付ける。次に、カムバックル１３にフック１４を係合させ、カムバックル１３に接続されたベルト１１の先端を引くことにより、落下防止具１０の全体を引き締めて弛みを取ればよい。
【００３０】
図５は、物品棚Ａの支柱に取り付けられた落下防止具１０の取り付け部分の状態を水平断面により示したものである。以下、いずれの断面図においても、下側が物品棚Ａの正面である。
【００３１】
ベルト１１を物品棚Ａの右側の支柱２０に取り付けるには、まず、ベルト固定具１が設けられた端部を、物品棚Ａの外側から支柱２０に巻き付け、磁性体４により内側の支柱面２１の正面側の端部に吸着させる。次に、ベルト固定具１から延びるベルト１１を上側から掛止溝３に挟むように掛け止めることにより、ベルト１１の先端にループを形成し、これを引き締めればよい。このとき、ベルト１１をなるべく支柱２０に密着させるために、ベルト固定具１の掛止溝３以外の部分が支柱面２１からはみ出さないようにすることが望ましい。物品棚Ａの左側の支柱にも同様にして、ベルト１１を取り付けることができる。
【００３２】
図６〜９は、落下防止具１０の他の取り付け状態を図５と同様に示したものである。
【００３３】
上記の取り付け方法では、支柱２０に巻回させるベルト１１の長さが最短となるようにベルト１１の端部が固定されているが、図６に示すように、ベルト固定具１を正面側の支柱面２２の右端に取り付け、支柱２０に巻回されたベルト１１の一部が重なり合うようにしてもよい。このようにすることで、落下防止具１０が引き締められる際に、掛止溝３に掛け止められたベルト１１により、ベルト固定具１が上から押さえ付けられ、取り付けの安定性が高められる。また、この取り付け方法によれば、図７に示すように、内側に適当な支柱面を有しないＬ字形の支柱３０であっても同様にベルト１１の端部を固定することができる。
【００３４】
さらに、図８および図９に示すように、ベルト１１の端部を物品棚の内側から支柱３０および支柱２０に巻き付け、ベルト固定具１を正面側の支柱面３１および支柱面２２の左端に吸着させて固定することもできる。ただし、この取り付け方法では、ベルト１１に過剰な張力が加わることによりベルト固定具１が引っ張り方向にずれたときに、ずれ代としてベルト固定具１の脱落を防止するスペースが十分に取れない。よって、この取り付け方法を採用する場合は、ベルト１１に張力をかけすぎないように注意する必要がある。
【００３５】
落下防止具１０は、ベルト固定具１に設けられた磁性体４により両端が支柱面に吸着させられるとともに、掛止溝３によりベルト１１の端部が支柱に巻回された状態に保持されている。すなわち、落下防止具１０の支柱への取り付け部分Ｘには、磁性体４による磁力と、ベルト１１が支柱面から受ける摩擦力とが作用することとなり、外力を受けても取り付け位置が下方にずれにくい。
【００３６】
さらに、ベルト固定具１の接触面５は、接続部２に接続されたベルト１１の支柱との接触面と略同じ高さに突出しているため、ベルト固定具１を支柱に吸着させたときに、ベルト１１が接続部２において支柱面から浮き上がることがない。これにより、ベルト１１を端部まで支柱に密着させることができ、支柱面との間の摩擦力が高まって、ベルト１１の支柱への取り付け位置がより下方にずれにくくなっている。
【００３７】
一方、落下防止具１０の一時解除は、カムバックル１３の解除レバー１７を押さえてベルト１１を緩めてから、カムバックル１３とフック１４との係合を解くことにより行う。カムバックル１３とフック１４との係合を外すと、左右のベルト１１は、これらの重みによりそれぞれ取り付けられている支柱に垂れ下がる。上述したように、ベルト１１は支柱に巻回された状態に保持されているので、カムバックル１３やフック１４の重みによりベルト１１の一端が下方に引かれると取り付け部分Ｘが引き締まって強い摩擦力がはたらく。その結果、落下防止具１０を連結部１２により一時的に解除しても、ベルト１１の左右の支柱との取り付け部分Ｘは、下方へずれることがなく取り付け位置を保持し続ける。すなわち、落下防止具１０を再度掛け渡す際は、両端の高さを調節し直す必要がなく、カムバックル１３にフック１４を掛け直してから、カムバックル１３に接続されたベルト１１の先端を引いて締め付けるだけでよい。
【００３８】
このように、落下防止具１０は、物品棚の鉄製等の支柱にベルト１１の端部を巻き付けて掛止溝３に掛け止めるだけで容易に取り付けることができ、ベルト１１を緩めて連結部１２の係合を解くことで容易に物品の出し入れをすることができる。また、連結部１２の係合を解いても、支柱への取り付け位置が下方にずれないので、再度の掛け渡しも迅速に行うことができる。さらに、落下防止具１０を支柱から取り外すときは、掛止溝３に掛け止められたベルト１１を上方に持ち上げて外すだけでよい。また、掛止溝３に掛け止めたベルト１１を緩めることにより、繋ぎ目の高さを変更することも容易である。
【００３９】
すなわち、本実施形態に係るベルト固定具および落下防止具によれば、支柱側に特殊な構造を設けなくても物品棚の鉄製等の支柱に容易に脱着することができ、ベルトの一時解除や再度の掛け渡しを容易にすることができる落下防止具が実現する。
【００４０】
以上、本発明に係るベルト固定具および落下防止具について、実施の形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００４１】
たとえば、本実施形態では、ベルト固定具の上端の一部を開口して掛止溝を形成したが、図１０に示すように、ベルト固定具の側面を開口して掛止溝を形成してもよい。
【００４２】
また、本実施形態では、磁性体をベルト固定具の片面に１つだけ設けたが、吸着力を高めるために複数の箇所に分散させて配置することもできる。磁性体をベルト固定具の両面に設ければ、ベルト固定具の表裏を区別する必要がなくなる。
【００４３】
さらに、ベルト固定具自体を磁性体で形成し、ベルト固定具の片面全体が支柱に吸着するように構成することも可能である。これにより、ベルト固定具と支柱面との接触面積が広くなり、安定性が高まるとともに、ベルト固定具の構造がシンプルになり意匠性も高まる。
【００４４】
また、ベルト固定具の表面に、織布、不織布、フェルト生地等を張り付けてもよい。これにより、ベルト固定具の脱着時に支柱に傷が付きにくくなる。
【産業上の利用可能性】
【００４５】
本発明に係るベルト固定具および落下防止具は、棚板の隅を鉄製等の支柱で支え、支柱の間が開放された物品棚において、支柱の間に掛け渡されて物品の落下を防止する落下防止具に使用されるものとして有用であり、特に、様々な大きさの物品を頻繁に出し入れし、落下防止具の脱着と掛け渡しを繰り返す環境下で使用する落下防止具に使用されるものとして好適である。
【符号の説明】
【００４６】
１，１ａ            ベルト固定具
２                  接続部
３，３ａ            掛止溝
４                  磁性体
５                  接触面
６                  マウント金具
７                  鳩目鋲
１０                落下防止具
１１                ベルト
１２                連結部
１３                カムバックル
１４                フック
１５，１５ａ        ベルト接続部
１６                先端部
１７                解除レバー
１８                保護スリーブ
２０，３０          支柱
２１，２２，３１    支柱面
Ａ                  物品棚
Ｘ                  取り付け部分
【図１】
2013208216.tif 000003
【図２】
2013208216.tif 000004
【図３】
2013208216.tif 000005
【図４】
2013208216.tif 000006
【図５】
2013208216.tif 000007
【図６】
2013208216.tif 000008
【図７】
2013208216.tif 000009
【図８】
2013208216.tif 000010
【図９】
2013208216.tif 000011
【図１０】
2013208216.tif 000012